(57)【要約】【課題】スライド部材を付勢する付勢部材の長さ寸法を比較的長く設定した場合でも、この付勢部材と、カードの凹部と係合する係合片とを干渉することなく配置できる。【解決手段】スライド部材８をカード６の排出方向に付勢する付勢部材９と、カード６の凹部６ｂと係合する係合片１６と、カム溝１３と係合部材１５とから成るスライド部材８のロック機構とを備え、スライド部材８が、カード収容部１ａの上下方向に突出する突出部１１を有すると共に、ハウジング１に、スライド部材８の突出部１１が収納される突出部収納部３を形成し、突出部１１の上面にカム溝１３を形成し、この上面側において係合片１６をスライド部材８に装着し、突出部１１の直下に位置するスライド部材８の部分に、付勢部材９が収納される付勢部材収納部１４を形成した。【選択図】図３
2006114442.tif 000002
【特許請求の範囲】
【請求項１】
カードが収容されるカード収容部を有するハウジングと、上記カードの挿入または排出に伴って上記カードの挿入または排出方向にスライド移動するスライド部材と、このスライド部材を上記カードの排出方向に付勢する付勢部材と、上記カードに形成される凹部と係合する係合片と、カム溝とこのカム溝に係合する係合部材とから成り、上記スライド部材を所定位置に保持するロック機構とを備え、
上記スライド部材が、上記カード収容部の上下方向に突出する突出部を有すると共に、上記ハウジングに、上記スライド部材の上記突出部が収納される突出部収納部を形成したことを特徴とするカード用コネクタ。
【請求項２】
上記請求項１記載の発明において、
上記ハウジングは、回路基板に取付けられた際に上記回路基板との間に隙間を形成させるための複数の突起を有し、
上記スライド部材の上記突出部を上記回路基板側に突出するように配置し、
上記スライド部材に上記係合片を装着すると共に、
上記スライド部材は、上記付勢部材が収納される付勢部材収納部と、上記突出部に設けられ、上記ロック機構を形成するカム溝とを有し、これらの付勢部材収納部とカム溝とを互いに上下方向に重ねるように配置したことを特徴とするカード用コネクタ。
【発明の詳細な説明】
【技術分野】
【０００１】
本発明は、カードの挿入または排出に活用されるスライド部材を備えたカード用コネクタに関する。
【背景技術】
【０００２】
この種の従来技術として、例えば特許文献１に記載の技術がある。この従来技術は、カードが収容されるカード収容部を有するハウジングすなわちボディと、カードの挿入または排出に伴って、カードの挿入または排出方向にスライド移動するスライド部材すなわちスライダとを備えている。また、スライダをカードの排出方向に付勢する付勢部材すなわちカード排出用ばね体と、カードに形成される凹部すなわち凹入部と係合する係合片、すなわちハーフロック用ばね体とを備えている。さらに、カム溝すなわちカム部と、このカム部に係合する係合部材すなわちピン部材とから成り、スライダを所定位置に保持するロック機構すなわちカム機構とを備えている。
【０００３】
上述したスライダには、このスライダを付勢するカード排出用ばね体が収納可能な収納部が形成され、上述したカード排出用ばね体の伸設方向の延長上に、カードの凹部に係合するハーフロック用ばね体の湾曲状の突起が位置するように、このハーフロック用ばね体がスライダに装着されている。
【０００４】
また、カム機構を形成するカム溝すなわちカム部は、スライダの側面に形成され、カム機構を形成するピン部材の一端がボディに保持され、他端がカム部に係合するように配置されている。すなわち、上述した従来技術にあっては、スライダを所定位置にロックするカム機構が、スライダの側方部分に配置されている。
【特許文献１】特開平１１−１３５１９２号公報
【発明の開示】
【発明が解決しようとする課題】
【０００５】
ところで上述した従来技術におけるように、スライダすなわちスライド部材、及びカードをハーフロックするばね体、すなわち係合片を備えたカード用コネクタにあっては、カードの排出性能を高めるために、カードを排出方向に付勢するカード排出用ばね体、すなわち付勢部材の弾性力を強くしたいという要望がある。この要望に応えるためには、例えばカード排出用ばね体すなわち付勢部材の長さ寸法を長く設定することが必要になる。
【０００６】
しかしながら上述した従来技術では、カード排出用ばね体の伸設方向の延長上に、ハーフロックばね体が位置しているので、カード排出用ばね体の長さ寸法を長くすると、このカード排出用ばね体すなわち付勢部材が、ハーフロックばね体すなわち係合片に干渉する虞がある。結局のところ、カード排出用ばね体の長さ寸法を余り長くすることができない。これに伴って従来技術では、カード排出用ばね体の弾性力の強化には限界がある。このため、より優れたカード排出性能を確保することが困難な状況となっている。
【０００７】
なお、上述した従来技術は、スライダを所定位置にロックするカム機構、すなわちロック機構がスライダの側方に配置されていることから、装置全体の幅寸法が大きくなりやすい。
【０００８】
本発明は、上述した従来技術における実状からなされたもので、その目的は、スライド部材を付勢する付勢部材の長さ寸法を比較的長く設定した場合でも、この付勢部材と、カードに形成された凹部と係合する係合片とを互いに干渉することなく配置できるカード用コネクタを提供することにある。
【課題を解決するための手段】
【０００９】
上記目的を達成するために、本発明は、カードが収容されるカード収容部を有するハウジングと、上記カードの挿入または排出に伴って上記カードの挿入または排出方向にスライド移動するスライド部材と、このスライド部材を上記カードの排出方向に付勢する付勢部材と、上記カードに形成される凹部と係合する係合片と、カム溝とこのカム溝に係合する係合部材とから成り、上記スライド部材を所定位置に保持するロック機構とを備え、上記スライド部材が、上記カード収容部の上下方向に突出する突出部を有すると共に、上記ハウジングに、上記スライド部材の上記突出部が収納される突出部収納部を形成したことを特徴としている。
【００１０】
このように構成した本発明は、スライド部材が、カード収容部の上下方向に突出する突出部を有することから、この突出部の部分の高さ寸法を大きくすることができる。その高さ方向の大きな領域を、スライド部材を付勢する付勢部材と、カードに形成される凹部と係合する係合片の配置領域とすることができる。すなわち、突出部の部分に形成される大きな配置領域において、付勢部材と係合片とを互いに離隔させて配置することができる。これにより、付勢部材の長さ寸法を比較的長く設定した場合でも、これらの付勢部材と係合片とを、互いに干渉することなく配置することができ、付勢部材の弾性力の強化を実現できる。
【００１１】
また、本発明は上記発明において、上記ハウジングは、回路基板に取付けられた際に上記回路基板との間に隙間を形成させるための複数の突起を有し、上記スライド部材の上記突出部を上記回路基板側に突出するように配置し、上記スライド部材に上記係合片を装着すると共に、上記スライド部材は、上記付勢部材が収納される付勢部材収納部と、上記突出部に設けられ、上記ロック機構を形成するカム溝とを有し、これらの付勢部材収納部とカム溝とを互いに上下方向に重ねるように配置したことを特徴としている。
【００１２】
このように構成した本発明は、ハウジングの突起によって回路基板との間に形成される隙間を、回路基板との接続空間として活用できる。また、スライド部材の上下方向の一方の側にスライド部材を付勢する付勢部材が収納される付勢部材収納部が配置され、他方の側にロック機構を形成するカム溝が配置されるので、スライド部材をロック保持するロック機構を上下方向に位置させることができる。これによって、装置全体の幅寸法を小さく設定できる。
【発明の効果】
【００１３】
本発明は、スライド部材が、カード収容部の上下方向に突出する突出部を有することから、この突出部の部分の高さ方向において、スライド部材を付勢する付勢部材と、カードに形成される凹部に係合する係合片の大きな配置領域を確保することができる。すなわち、この大きな配置領域において、付勢部材と係合片とを互いに離隔させて配置することができる。これにより、スライド部材を付勢する付勢部材の長さ寸法を比較的長く設定した場合でも、これらの付勢部材と係合片とを互いに干渉することなく配置でき、付勢部材の弾性力の強化を実現でき、従来に比べて優れたカード排出性能を確保することができる。
【発明を実施するための最良の形態】
【００１４】
以下，本発明に係るカード用コネクタを実施するための最良の形態を図に基づいて説明する。
【００１５】
［本実施形態の基本構成］
図１は本発明に係るカード用コネクタの一実施形態を示す図で、（ａ）図は平面図、（ｂ）図は左側面図、（ｃ）図は右側面図、図２は本実施形態にカードが挿入された状態を示す図で、（ａ）図は平面図、（ｂ）図は左側面図、（ｃ）図は右側面図、図３は本実施形態において上面を形成するカバー部材を除いた状態を示す図で、（ａ）図は平面図、（ｂ）図は左側面図、（ｃ）図は右側面図である。
【００１６】
これらの図１〜３に示すように、本実施形態は、本体を形成しカード６が収容されるカード収容部１ａを有するハウジング１を備えている。このハウジング１には、カード６が挿入されるカード挿入口４と、カード６に形成される接触部材と電気的に接続される接続端子７とを設けてある。また、図示しない回路基板に取付けられた際に、その回路基板との間に隙間を形成させるための複数の突起５を備えている。さらに、このハウジング１の上部を形成するカバー部材２には、図１，２に示すように、図示しない回路基板側に突出するように配置される突出部収納部３を形成してある。この突出部収納部３に収納される突出部１１については後述する。なお、突出部収納部３は例えば断面コ字形状に形成してある。
【００１７】
また本実施形態は、図３に示すように、カード６の挿入または排出に伴ってカード６の挿入または排出方向にスライド移動するスライド部材８と、このスライド部材８をカード６の排出方向、すなわちカード挿入口４方向に付勢するねじりコイルばねから成る付勢部材９とを備えている。さらに、ハートカムから成るカム溝１３と、このカム溝１３に係合する係合部材１５とを含み、スライド部材８を所定位置にロック保持するロック機構を備えている。
【００１８】
［本実施形態に備えられるスライド部材等の構成］
図４は本実施形態に備えられるスライド部材を示す図で、（ａ）図は平面図、（ｂ）図は左側面図、（ｃ）図は右側面図、（ｄ）図は正面図、（ｅ）図は裏面図、（ｆ）図は背面図、図５は本実施形態に備えられるスライド部材に、付勢部材を収納させ、係合片を装着させた状態を示す図で、（ａ）図は平面図、（ｂ）図は左側面図、（ｃ）図は右側面図、（ｄ）図は正面図、（ｅ）図は裏面図、（ｆ）図は背面図である。
【００１９】
上述したスライド部材８は、図４に示すように、カード６の先端に係合する係合部１０を有すると共に、カード収容部１ａの上下方向に突出し、上述したカバー部材２に形成した突出部収納部３に摺動自在に収納される突出部１１を有している。
【００２０】
この突出部１１の上面には、上述したカム溝１３を形成してある。このカム溝１３は、同図４の（ａ）図に示すように、往路１３ａと、復路１３ｂと、ロック部１３ｃとを備えている。なお、このカム溝１３に係合する上述の係合部材１５は、図３に示すように、一端１５ａがハウジング１に揺動自在に保持され、他端１５ｂがカム溝１３に係合するように配置してある。
【００２１】
また、図４の（ａ）図、及び図５の（ａ）図に示すように、突出部１１の上面側には、カード６の側面に形成される後述の凹部６ｂと係合する突部１６ａを有する係合片１６を収納する係合片収納部１２を形成してある。
【００２２】
さらに、図４の（ｅ）（ｆ）図、及び図５の（ｅ）（ｆ）図等に示すように、突出部１１の直下に位置するスライド部材８の部分には、上述した付勢部材９が収納される付勢部材収納部１４を形成してある。この付勢部材収納部１４は、スライド部材８の長さに相応する程の十分な長さ寸法に設定してある。したがって、付勢部材収納部１４に収納される付勢部材９の長さ寸法も十分に長く設定してあり、比較的大きな弾性力を保有している。
【００２３】
［本実施形態の動作］
図６はカード挿入時の状態を、カバー部材を除いて示した図で、（ａ）図は平面図、（ｂ）図は左側面図、（ｃ）図は右側面図、図７はカード挿入途中の状態を、カバー部材を除いて示した図で、（ａ）図は平面図、（ｂ）図は左側面図、（ｃ）図は右側面図、図８はカードが所定の装着位置に装着された状態を、カバー部材を除いて示した図で、（ａ）図は平面図、（ｂ）図は左側面図、（ｃ）図は右側面図である。
【００２４】
図６に示すように、カード６がカード挿入口４から挿入され、押し込まれると、カード６の先端がスライド部材８の係合部１０に係合し、スライド部材８に保持された係合片１６の突部１６ａがカード６の側部に形成された凹部６ｂに係合し、このカード６が係合片１６の弾性力によって保持される。
【００２５】
引き続いて行われるカード６の押し込み動作に伴って、図７に示すように、付勢部材９の付勢力に抗して、カード６の先端に係合する係合部１０を介してスライド部材１０が装置の奥側に向って摺動し、ロック機構に含まれる係合部材１５の他端１５ｂがカム溝１３の往路１３ａ上を相対的に摺動する。
【００２６】
図８に示すように、カード６が所定の装着位置に至ったとき、ロック機構に含まれる係合部材１５の他端１５ｂが、カム溝１３のロック部１３ｃに係止され、これによってスライド部材８は所定位置にロックされる。すなわち、このスライド部材８のロックによって、カード６は所定の装着位置に安定した状態に保持される。この所定の装着位置に保持されたカード６の接触部材が、図６，７等に示すハウジング１に備えられる接続部材７に電気的に接続し、本実施形態を介して、カード６と、本実施形態と接続される図示しない回路基板との間の信号の送受信が可能となる。
【００２７】
図８に示すように所定の装着位置に保持されているカード６の排出時には、再びカード６が装置の奥側に向って押される。これによりカード６が装置の奥側にオーバストロークし、これに伴ってスライド部材８もわずかに装置の奥側に摺動し、係合部材１５の他端１５ｂがカム溝１３のロック部１３ｃから離脱する。これによってスライド部材８のロックが解除される。
【００２８】
ここでカード６に加えていた押圧力を除くと、係合部材９の付勢力によってスライド部材８がカード挿入口４の方向に摺動し、このスライド部材８の係合部１０を介してカード６が排出され、図６に示す状態に至る。この間、ロック機構に含まれる係合部材１５の他端１５ｂは、スライド部材８に形成されたカム溝１３の復路１３ｂ上を相対的に摺動する。
【００２９】
この図６に示す状態から、カード６を手前に引き抜くと、係合片１６の突部１６ａとカード６の凹部６ｂとの係合が解かれ、カード６が取り出される。
【００３０】
［本実施形態の効果］
このように構成した本実施形態によれば、スライド部材８が、カード収容部１ａの上下方向に突出する突出部１１を有することから、この突出部１１の部分の高さ寸法を大きくすることができる。その高さ方向の大きな領域を、スライド部材８を付勢する付勢部材９と、カード６に形成される凹部６ｂと係合する係合片１６の配置領域とすることができる。すなわち、突出部１１の部分に形成される大きな配置領域において、付勢部材９と係合片１６とを互いに上下方向に離隔させて配置することができる。これにより、付勢部材９の長さ寸法を比較的長く設定した場合でも、これらの付勢部材９と係合片１６とを、互いに干渉することなく配置できる。したがって、付勢部材９の弾性力の強化を実現でき、優れたカード排出性能を確保することができる。
【００３１】
また、ハウジング１に形成した突起５によって図示しない回路基板との間に形成される隙間を、回路基板との接続空間として活用できる。
【００３２】
さらに、スライド部材８の上下方向の一方の側、すなわち下側にスライド部材８を付勢する付勢部材９が収納される付勢部材収納部１４が配置され、他方の側すなわち上側にロック機構を形成するカム溝１３が配置され、このカム溝１３の上方に、このカム溝１３に係合する係合部材１５が配置されるので、スライド部材８をロック保持するロック機構をスライド部材８の上方向に位置させることができる。これによってハウジング１の幅寸法、すなわち装置全体の幅寸法を小さく設定することができる。
【００３３】
［その他の構成］
上記実施形態では、スライド部材８の突出部１１をハウジング１の上部を形成するカバー部材２側に形成したが、ハウジング１の底部側に形成してもよい。また、カバー部材２側とハウジング１の底部側の双方に突出するように形成してもよい。要するに、スライド部材８を付勢する付勢部材９と、カード６の凹部６ｂに係合する係合片１６とを互いに離隔させて配置可能な大きな高さ領域を形成し得る突出部１１であればよい。
【００３４】
また上記では、カバー部材２に形成される突出部収納部３を断面コ字形状に、すなわち閉空間を形成するように設けたが、本発明は、このように突出部収納部３を断面コ字形状に形成することには限られず、例えば上面にスリット等の空隙部が形成されていてもよい。
【図面の簡単な説明】
【００３５】
【図１】本発明に係るカード用コネクタの一実施形態を示す図で、（ａ）図は平面図、（ｂ）図は左側面図、（ｃ）図は右側面図である。
【図２】本実施形態にカードが挿入された状態を示す図で、（ａ）図は平面図、（ｂ）図は左側面図、（ｃ）図は右側面図である。
【図３】本実施形態において上面を形成するカバー部材を除いた状態を示す図で、（ａ）図は平面図、（ｂ）図は左側面図、（ｃ）図は右側面図である。
【図４】本実施形態に備えられるスライド部材を示す図で、（ａ）図は平面図、（ｂ）図は左側面図、（ｃ）図は右側面図、（ｄ）図は正面図、（ｅ）図は裏面図、（ｆ）図は背面図である。
【図５】本実施形態に備えられるスライド部材に、付勢部材を収納させ、係合片を装着させた状態を示す図で、（ａ）図は平面図、（ｂ）図は左側面図、（ｃ）図は右側面図、（ｄ）図は正面図、（ｅ）図は裏面図、（ｆ）図は背面図である。
【図６】カード挿入時の状態を、カバー部材を除いて示した図で、（ａ）図は平面図、（ｂ）図は左側面図、（ｃ）図は右側面図である。
【図７】カード挿入途中の状態を、カバー部材を除いて示した図で、（ａ）図は平面図、（ｂ）図は左側面図、（ｃ）図は右側面図である。
【図８】カードが所定の装着位置に装着された状態を、カバー部材を除いて示した図で、（ａ）図は平面図、（ｂ）図は左側面図、（ｃ）図は右側面図である。
【符号の説明】
【００３６】
１    ハウジング
１ａ  カード収容部
２    カバー部材
３    突出部収納部
４    カード挿入口
５    突起
６    カード
６ａ  切欠き部
６ｂ  凹部
７    接続部材
８    スライド部材
９    付勢部材
１０  係合部
１１  突出部
１２  係合片収納部
１３  カム溝（ロック機構）
１３ａ  往路
１３ｂ  複路
１３ｃ  ロック部
１４    付勢部材収納部
１５    係合部材（ロック機構）
１５ａ  一端
１５ｂ  他端
１６    係合片
１６ａ  突部
【図１】
2006114442.tif 000003
【図２】
2006114442.tif 000004
【図３】
2006114442.tif 000005
【図４】
2006114442.tif 000006
【図５】
2006114442.tif 000007
【図６】
2006114442.tif 000008
【図７】
2006114442.tif 000009
【図８】
2006114442.tif 000010